(57)【要約】【課題】各種電子機器に使用される開閉装置に関し、簡易な構成で、開閉操作の確実なものを提供することを目的とする。【解決手段】ケース１５と可動体３の間に可動体３を軸線方向へ移動可能に保持するガイド手段を形成すると共に、このガイド手段のガイド溝１５Ａの固定体１方向端部に幅広部１５Ｂを設けることによって、所定角度まで開いた後、さらに開く方向への力が加わった場合にも、幅広部１５Ｂによってケース１５がさらに回転可能に形成されているため、固定カム２や可動カム４の破損を防ぎ、簡易な構成で、確実な開閉操作が可能な開閉装置を得ることができる。【選択図】図１
2006138400.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動カムと上記固定カムを弾接させるばねと、これらを収納した略円筒状のケースからなり、上記ケースと可動体の間に上記可動体を軸線方向へ移動可能に保持するガイド手段を形成すると共に、このガイド手段の固定体方向端部に幅広部を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、開閉操作が確実でより使い易いものが求められている。
【０００３】
このような従来の開閉装置について、図４〜図７を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左側面に固定部１Ａが形成された略円筒状で金属製の固定体で、この右側面外周には突出部２Ａ、及びこの突出部２Ａから左右へ延出する二つの傾斜部２Ｂ、２Ｃから形成された固定カム２が設けられている。
【０００６】
そして、３は同じく略円筒状で金属製の可動体で、固定体１に対し開閉方向へ回転可能に配置されると共に、固定カム２との対向面である左側面外周には可動カム４が設けられている。
【０００７】
また、５は略円筒状で焼結合金製のケースで、ケース５には外方へ突出するガイド溝５Ａが設けられると共に、このガイド溝５Ａに可動体３外周のガイド突起３Ａが挿入されて、ケース５内に収納された可動体３を軸線方向へ移動可能に保持するガイド手段が形成されている。
【０００８】
さらに、６は可動体３右側面とケース５右底面との間にやや撓んだ状態で装着されたコイル状のばねで、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、右端部は可動体３の中空部やばね６を挿通し、止め輪８によってケース５右側面に回転可能に装着されている。
【００１０】
そして、ケース５左側面から固定体１の固定部１Ａが回転可能に突出し、この固定体１や可動体３、ばね６等がケース５内に収納されて、開閉装置１０が構成されている。
【００１１】
また、このように構成された開閉装置１０は、例えば、図４（ｂ）の携帯電話の斜視図に示すように、固定体１の固定部１Ａが上面に複数のキーからなる操作部２２Ａやマイクロフォン等の音声入力部２２Ｂが形成された固定筐体２２へ、ケース５のガイド溝５Ａ外周が、表面にＬＣＤ等の表示部２３Ａやスピーカ等の音声出力部２３Ｂが形成された可動筐体２３へ各々固着され、開閉装置１０によって固定筐体２２に対して可動筐体２３が開閉可能に軸支されて電子機器が構成される。
【００１２】
以上の構成において、図５に示したように、可動カム４の先端が固定カム２下側の傾斜部２Ｂへ弾接した状態では、可動体３がばね６によって下方向の閉方向へ付勢され、図７（ａ）の部分断面図に示すように、ガイド突起３Ａ右端がガイド溝５Ａ右端に弾接しているため、ケース５が固着された可動筐体２３は、図４（ａ）に示すように固定筐体２２に対して閉じた状態で保持されている。
【００１３】
そして、この閉状態から、図４（ｂ）に示すように、可動筐体２３を手で開くと、可動筐体２３に固着された可動ケース５を介して、可動体３がケース５内を軸線方向へ移動しながら回転して、図７（ｂ）に示すように、可動カム４先端が固定カム２の突出部２Ａを超えて左側の傾斜部２Ｃへ弾接し、可動体３が左方向の開方向へ付勢され、下方向へ移動したガイド突起３Ａ左端がガイド溝５Ａ左端に弾接するため、この力によって可動筐体２３に開く方向の力が加わる。
【００１４】
また、この後、図７（ｃ）に示すように、可動カム４先端が傾斜部２Ｃを弾接摺動するのに伴い、さらに下方向へ移動したガイド突起３Ａ左端に、ガイド溝５Ａ左端を押圧されたケース５が開方向へ回転し、可動カム４先端が所定位置まで移動すると、図４（ｃ）に示すように、可動筐体２３が固定筐体２２に対して１５０〜１７０度前後の所定角度に開いた状態となる。
【００１５】
つまり、可動筐体２３に固着されたケース５を回転させることによって、可動体３を軸線方向へ移動させ、可動カム４先端を固定カム２の傾斜部２Ｂまたは２Ｃのいずれかへ弾接させて、固定筐体２２に対する可動筐体２３の開閉操作が行われるように構成されている。
【００１６】
なお、このように可動筐体２３を所定角度開いた後、図４（ｄ）に示すように、裏側から誤って押される等さらに可動筐体２３を開く力が加わった場合、図７（ｄ）に示すように、ケース５はガイド溝５Ａとガイド突起３Ａの間の僅かな隙間分は回転するが、ガイド突起３Ａ右端にガイド溝５Ａ右端が当接し、可動カム４が次の固定カム２に当接すると、これ以上は開かないようになっている。
【００１７】
従って、可動筐体２３を所定角度まで開いた後、誤ってさらに力が加わった時の固定カム２や可動カム４の破損を防ぎ、その後の開閉操作に支障をきたさないようにするためには、固定カム２や可動カム４を充分な強度の得られる大きな形状としたり、固定筐体２２と可動筐体２３の間に別途ストッパ機構を設けたりする必要があるものであった。
【００１８】
なお、この出願の発明に関連する先行技術文献情報としては、例えば、特許文献１が知られている。
【特許文献１】特開２００４−２４５３４２号公報
【発明の開示】
【発明が解決しようとする課題】
【００１９】
しかしながら、上記従来の開閉装置においては、所定角度まで開いた後、誤ってさらに力が加わった場合の固定カム２や可動カム４の破損を防ぐためには、カムを大きな形状としたり、固定筐体２２と可動筐体２３に別途ストッパ機構を設けたりする必要があり、開閉装置が大きなものとなったり、構成が複雑なものとなってしまうという課題があった。
【００２０】
本発明は、このような従来の課題を解決するものであり、簡易な構成で、確実な開閉操作が可能な開閉装置を提供することを目的とする。
【課題を解決するための手段】
【００２１】
上記目的を達成するために本発明は、ケースと可動体の間に可動体を軸線方向へ移動可能に保持するガイド手段を形成すると共に、このガイド手段の固定体方向端部に幅広部を設けたものであり、所定角度まで開いた後、さらに開く方向への力が加わった場合にも、幅広部によってケースがさらに回転可能に形成されているため、固定カムや可動カムの破損を防ぎ、簡易な構成で、確実な開閉操作が可能な開閉装置を得ることができるという作用を有する。
【発明の効果】
【００２２】
以上のように本発明によれば、簡易な構成で、確実な開閉操作が可能な開閉装置を実現することができるという有利な効果が得られる。
【発明を実施するための最良の形態】
【００２３】
以下、本発明の実施の形態について、図１〜図４を用いて説明する。
【００２４】
なお、これらの図面の内、断面図は固定カムと可動カムの関係を判り易くするため、径方向を拡大して表わしている。
【００２５】
また、背景技術の項で説明した構成と同一構成の部分には同一符号を付して、詳細な説明を簡略化する。
【００２６】
（実施の形態）
図１は本発明の一実施の形態による開閉装置の断面図、図２は同分解斜視図であり、同図において、１は左側面に固定部１Ａが形成された略円筒状で鋼や銅合金、焼結合金等の金属製の固定体で、この右側面外周には突出部２Ａ、及びこの突出部２Ａから左右へ延出する二つの傾斜部２Ｂ、２Ｃから形成された複数の固定カム２が設けられている。
【００２７】
そして、３は同じく略円筒状で金属製の可動体で、固定体１に対し開閉方向へ回転可能に配置されると共に、固定カム２との対向面である左側面外周には複数の可動カム４が対称に設けられている。
【００２８】
また、１５は略円筒状で金属製のケースで、ケース１５には外方へ突出する複数のガイド溝１５Ａが対称に設けられると共に、このガイド溝１５Ａには、ガイド溝１５Ａよりもやや幅の小さな可動体３外周の複数のガイド突起３Ａが挿入されている。
【００２９】
さらに、このケース１５のガイド溝１５Ａの固定体１方向端部には、ガイド溝１５Ａよりも閉方向に幅が広がった幅広部１５Ｂが設けられて、ケース１５内に収納された可動体３を軸線方向へ移動可能に保持するガイド手段が形成されている。
【００３０】
そして、６は可動体３右側面とケース１５右底面との間にやや撓んだ状態で装着されたコイル状のばねで、このばね６によって可動体３が左方向へ付勢され、可動カム４の先端が固定カム２の傾斜部２Ｂへ弾接している。
【００３１】
また、７は略円柱状の固定軸で、この固定軸７の左端部に固定体１が固着されると共に、右端部は可動体３の中空部やばね６を挿通し、止め輪８によってケース１５右側面に回転可能に装着されている。
【００３２】
さらに、ケース１５左側面からは固定体１の固定部１Ａが回転可能に突出すると共に、この固定体１や可動体３、ばね６等がケース１５内に収納されて、開閉装置２０が構成されている。
【００３３】
また、このように構成された開閉装置２０は、例えば、図４（ｂ）の携帯電話の斜視図に示すように、固定体１の固定部１Ａが上面に複数のキーからなる操作部２２Ａやマイクロフォン等の音声入力部２２Ｂが形成された固定筐体２２へ、ケース１５のガイド溝１５Ａや幅広部１５Ｂ外周が、表面にＬＣＤ等の表示部２３Ａやスピーカ等の音声出力部２３Ｂが形成された可動筐体２３へ各々固着され、開閉装置２０によって固定筐体２２に対して可動筐体２３が開閉可能に軸支されて電子機器が構成される。
【００３４】
以上の構成において、図１に示したように、可動カム４の先端が固定カム２下側の傾斜部２Ｂへ弾接した状態では、可動体３がばね６によって下方向の閉方向へ付勢され、図３（ａ）の部分断面図に示すように、ガイド突起３Ａ右端がガイド溝１５Ａ右端に弾接しているため、ケース１５が固着された可動筐体２３は、図４（ａ）に示すように、固定筐体２２に対して閉じた状態で保持されている。
【００３５】
そして、この閉状態から、図４（ｂ）に示すように、可動筐体２３を手で開くと、可動筐体２３に固着されたケース１５を介して、可動体３がケース１５内を軸線方向へ移動しながら回転して、図３（ｂ）に示すように、可動カム４先端が固定カム２の突出部２Ａを超えて左側の傾斜部２Ｃへ弾接し、可動体３が左方向の開方向へ付勢され、下方向へ移動したガイド突起３Ａ左端がガイド溝１５Ａ左端に弾接するため、この力によって可動筐体２３に開く方向の力が加わる。
【００３６】
また、この後、図３（ｃ）に示すように、可動カム４先端が傾斜部２Ｃを弾接摺動するのに伴い、さらに下方向の固定体１方向端部へ移動したガイド突起３Ａ左端に、ガイド溝１５Ａ左端を押圧されたケース１５が開方向へ回転し、可動カム４先端が所定位置まで移動すると、図４（ｃ）に示すように、ケース１５が固着された可動筐体２３が固定筐体２２に対して、１５０〜１７０度前後の所定角度に開いた状態となる。
【００３７】
さらに、このように可動筐体２３を所定角度開いた後、図４（ｄ）に示すように、裏側から誤って押される等さらに可動筐体２３を開く力が加わった場合、図３（ｄ）に示すように、ケース１５のガイド溝１５Ａの固定体１方向端部には、ガイド溝１５Ａよりも閉方向に広がった幅広部１５Ｂが設けられているため、ガイド突起３Ａ左端がガイド溝１５Ａ左端から離れ、この幅広部１５Ｂの幅寸法分だけケース１５が開方向へ回転する。
【００３８】
つまり、可動筐体２３を所定角度まで開いた後、さらに力を加えて可動筐体２３を開いた場合にも、固定体１方向端部に形成された幅広部１５Ｂによって、可動筐体２３と固定筐体２２がほぼ水平になるまでケース１５がさらに回転可能となっているため、対称に形成されて当接した次の固定カム２と可動カム４の破損を防ぎ、その後の開閉操作に支障をきたさないように構成されている。
【００３９】
このように本実施の形態によれば、ケース１５と可動体３の間に可動体３を軸線方向へ移動可能に保持するガイド手段を形成すると共に、このガイド手段のガイド溝１５Ａの固定体１方向端部に幅広部１５Ｂを設けることによって、所定角度まで開いた後、さらに開く方向への力が加わった場合にも、幅広部１５Ｂによってケース１５がさらに回転可能に形成されているため、固定カム２や可動カム４の破損を防ぎ、簡易な構成で、確実な開閉操作が可能な開閉装置を得ることができるものである。
【００４０】
なお、以上の説明では、ケース１５に設けたガイド溝１５Ａや幅広部１５Ｂと、可動体３外周に設けたガイド突起３Ａによってガイド手段を形成した構成について説明したが、ケース１５のガイド溝や幅広部を孔としたり、或いは、これとは逆にケース１５側を凸状、可動体３側を凹状に形成し、これらによってガイド手段を設けたりした構成としても、本発明の実施は可能である。
【産業上の利用可能性】
【００４１】
本発明による開閉装置は、簡易な構成で、開閉操作が確実なものを得ることができ、各種電子機器に使用される開閉装置として有用である。
【図面の簡単な説明】
【００４２】
【図１】本発明の一実施の形態による開閉装置の断面図
【図２】同分解斜視図
【図３】同部分断面図
【図４】携帯電話の斜視図
【図５】従来の開閉装置の断面図
【図６】同分解斜視図
【図７】同部分断面図
【符号の説明】
【００４３】
１  固定体
１Ａ  固定部
２  固定カム
２Ａ  突出部
２Ｂ、２Ｃ  傾斜部
３  可動体
３Ａ  ガイド突起
４  可動カム
６  ばね
７  固定軸
８  止め輪
１５  ケース
１５Ａ  ガイド溝
１５Ｂ  幅広部
２０  開閉装置
２２  固定筐体
２２Ａ  操作部
２２Ｂ  音声入力部
２３  可動筐体
２３Ａ  表示部
２３Ｂ  音声出力部
【図１】
2006138400.tif 000003
【図２】
2006138400.tif 000004
【図３】
2006138400.tif 000005
【図４】
2006138400.tif 000006
【図５】
2006138400.tif 000007
【図６】
2006138400.tif 000008
【図７】
2006138400.tif 000009